(57)【要約】【課題】画像データ又は音声データをメッセージに添付して送信する場合に、メッセージの件名及び本文を自動作成する。【解決手段】携帯端末４のＣＰＵ４０は、カメラ部４６から取得された画像データをメッセージに添付して送信する場合、メッセージの件名に所定の定型文を入力するとともに、本文に、画像を添付したことを示す定型文を入力する処理を実行する。また、ＣＰＵ４０は、音声データをメッセージに添付して送信する場合、メッセージの件名に所定の定型文を入力するとともに、本文に、音声を添付したことを示す定型文を入力する処理を実行する。【選択図】            図２
2005020563.tif 000002
【特許請求の範囲】
【請求項１】
画像を撮影する撮影手段と、
前記撮影手段により撮影された画像をメッセージに添付する指示を行う指示手段と、
前記指示手段により、前記撮影された画像のメッセージへの添付が指示されると、メッセージを入力する制御を行う制御手段と、
前記制御手段により入力されたメッセージに、前記撮影された画像を添付して送信する送信手段と、
を備えることを特徴とする携帯端末。
【請求項２】
前記制御手段は、前記メッセージの件名に、添付データの参照を促すための定型文を入力し、当該メッセージの本文に、画像を添付したことを示す定型文を入力する制御を行うことを特徴とする請求項１に記載の携帯端末。
【請求項３】
前記撮影手段により撮影された画像を表示する画像表示手段を備えることを特徴とする請求項１又は２に記載の携帯端末。
【請求項４】
音声を録音する録音手段と、
前記録音手段により録音された音声をメッセージに添付する指示を行う指示手段と、
前記指示手段により、前記録音された音声のメッセージへの添付が指示されると、メッセージを入力する制御を行う制御手段と、
前記制御手段により入力されたメッセージに、前記録音された音声を添付して送信する送信手段と、
を備えることを特徴とする携帯端末。
【請求項５】
前記制御手段は、前記メッセージの件名に、添付データの参照を促すための定型文を入力し、当該メッセージの本文に、音声を添付したことを示す定型文を入力する制御を行うことを特徴とする請求項４に記載の携帯端末。
【請求項６】
画像を撮影する撮影手段と、
音声を録音する録音手段と、
前記撮影手段により撮影された画像又は前記録音手段により録音された音声を、メッセージに添付する指示を行う指示手段と、
前記指示手段により、前記撮影された画像又は前記録音された音声のメッセージへの添付が指示されると、メッセージを入力する制御を行う制御手段と、
前記撮影手段により画像が撮影された場合、前記制御手段により入力されたメッセージに、当該画像を添付して送信し、前記録音手段により音声が録音された場合、前記メッセージに、当該音声を添付して送信する送信手段と、
を備えることを特徴とする携帯端末。
【請求項７】
前記制御手段は、前記メッセージの件名に、添付データの参照を促すための定型文を入力し、前記撮影手段により画像が撮影された場合は、当該メッセージの本文に、画像を添付したことを示す定型文を入力し、前記録音手段により音声が録音された場合は、当該メッセージの本文に、音声を添付したことを示す定型文を入力する制御を行うことを特徴とする請求項６に記載の携帯端末。
【請求項８】
前記撮影手段により撮影された画像を表示する画像表示手段を備えることを特徴とする請求項６又は７に記載の携帯端末。
【請求項９】
コンピュータに、
画像を撮影する撮影機能と、
前記撮影機能により撮影された画像をメッセージに添付する指示を行う指示機能と、
前記指示機能により、前記撮影された画像のメッセージへの添付が指示されると、メッセージを入力する制御を行う制御機能と、
前記制御機能により入力されたメッセージに、前記撮影された画像を添付して送信する送信機能と、
を実現させるためのプログラム。
【請求項１０】
コンピュータに、
音声を録音する録音機能と、
前記録音機能により録音された音声をメッセージに添付する指示を行う指示機能と、
前記指示機能により、前記録音された音声のメッセージへの添付が指示されると、メッセージを入力する制御を行う制御機能と、
前記制御機能により入力されたメッセージに、前記録音された音声を添付して送信する送信機能と、
を実現させるためのプログラム。
【請求項１１】
コンピュータに、
画像を撮影する撮影機能と、
音声を録音する録音機能と、
前記撮影機能により撮影された画像又は前記録音機能により録音された音声を、メッセージに添付する指示を行う指示機能と、
前記指示機能により、前記撮影された画像又は前記録音された音声のメッセージへの添付が指示されると、メッセージを入力する制御を行う制御機能と、
前記撮影機能により画像が撮影された場合、前記制御機能により入力されたメッセージに、当該画像を添付して送信し、前記録音機能により音声が録音された場合、前記メッセージに、当該音声を添付して送信する送信機能と、
を実現させるためのプログラム。
【発明の詳細な説明】
【０００１】
【発明の属する技術分野】
本発明は、携帯端末及びプログラムに関する。
【０００２】
【従来の技術】
スーパーマーケット、家電量販店、ホームセンター等の店舗では、店長、各売場のチーフ等の作業指示者から、各売場にいる店員に各種の作業指示が出される。最近では、各売場の店員が所持するハンディーターミナル、ＰＤＡ等の携帯端末に、作業指示情報を送信することが可能になっている。また、災害時における救急活動等においても、作業を迅速かつ的確に行うために、各作業者が所持する携帯端末に、作業指示情報を送信することが可能になっている（例えば、特許文献１参照。）。このような作業指示システムにおいて、作業指示を受けた作業者（店員）は、携帯端末を用いて、作業報告等のデータを送信する。作業者（店員）からの作業報告として、携帯端末を用いて、画像データ、音声データを送信する場合、一般に、入力キー又はペンによるタップ操作によって、メッセージの件名と本文が入力され、送信予定の画像データ又は音声データが添付されて、指定された宛先に送信される。
【０００３】
【特許文献１】
特開２００２−１５０９９号公報
【０００４】
【発明が解決しようとする課題】
しかしながら、ハンディーターミナル、ＰＤＡ等の携帯端末は、入力キーの数が少ないため、画像データ又は音声データをメッセージに添付して送信する場合、入力キー又はペンによるタップ操作によって、件名と本文を入力するのは、携帯端末を使い慣れていないユーザにとって面倒で困難であるという問題があった。
【０００５】
本発明の課題は、画像データ又は音声データをメッセージに添付して送信する場合に、メッセージの件名と本文を自動作成することである。
【０００６】
【課題を解決するための手段】
上記課題を解決するため、請求項１に記載の発明は、画像を撮影する撮影手段と、前記撮影手段により撮影された画像をメッセージに添付する指示を行う指示手段と、前記指示手段により、前記撮影された画像のメッセージへの添付が指示されると、メッセージを入力する制御を行う制御手段と、前記制御手段により入力されたメッセージに、前記撮影された画像を添付して送信する送信手段と、を備えることを特徴としている。
【０００７】
請求項４に記載の発明は、音声を録音する録音手段と、前記録音手段により録音された音声をメッセージに添付する指示を行う指示手段と、前記指示手段により、前記録音された音声のメッセージへの添付が指示されると、メッセージを入力する制御を行う制御手段と、前記制御手段により入力されたメッセージに、前記録音された音声を添付して送信する送信手段と、を備えることを特徴としている。
【０００８】
請求項６に記載の発明は、画像を撮影する撮影手段と、音声を録音する録音手段と、前記撮影手段により撮影された画像又は前記録音手段により録音された音声を、メッセージに添付する指示を行う指示手段と、前記指示手段により、前記撮影された画像又は前記録音された音声のメッセージへの添付が指示されると、メッセージを入力する制御を行う制御手段と、前記撮影手段により画像が撮影された場合、前記制御手段により入力されたメッセージに、当該画像を添付して送信し、前記録音手段により音声が録音された場合、前記メッセージに、当該音声を添付して送信する送信手段と、を備えることを特徴としている。
【０００９】
本発明によれば、画像データ又は音声データをメッセージに添付して送信する場合に、メッセージを自動的に入力するようにしたことにより、ユーザがメッセージを入力する必要がなくなり、メッセージを容易に作成することが可能になる。
【００１０】
【発明の実施の形態】
以下、図を参照して本発明の実施の形態を詳細に説明する。
まず、構成を説明する。
【００１１】
図１は、本実施の形態の情報管理システム１００の全体構成を示す図である。情報管理システム１００は、店舗内の情報伝達、情報管理を行うためのシステムであり、図１に示すように、サーバ１、操作端末２、アクセスポイント３、携帯端末４により構成される。
【００１２】
サーバ１は、店舗内の情報管理を行うための装置であり、通信ネットワークＮを介して操作端末２及び携帯端末４に接続される。操作端末２は、店長、各売場のチーフ等の作業指示者が使用するＰＣ（Ｐｅｒｓｏｎａｌ  Ｃｏｍｐｕｔｅｒ）等の通信端末であり、店舗の事務所に設置されている。携帯端末４は、売場にいる各担当者（作業者）が所持するハンディーターミナル、ＰＤＡ（Ｐｅｒｓｏｎａｌ  Ｄｉｇｉｔａｌ  Ａｓｓｉｓｔａｎｔｓ）等の携帯情報端末であり、通信ネットワークＮ上に複数設置されたのアクセスポイント３に無線接続される。なお、１台のサーバに通信ネットワークＮを介して接続される操作端末２、アクセスポイント３、携帯端末４の台数は特に限定されない。
【００１３】
ここで、通信ネットワークＮとは、例えば、ＬＡＮ（Ｌｏｃａｌ  Ａｒｅａ  Ｎｅｔｗｏｒｋ）等により構成される通信回線網であり、独立して構築された専用線、或いは一般の電話回線やデジタルデータを伝送可能なＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線等の公衆回線を複数有する。
【００１４】
次に、図２を参照して、本発明の実施の形態に係る携帯端末４の主要部構成について説明する。携帯端末４は、売場の店員が、サーバ１への作業報告等に使用する端末であり、図２に示すように、ＣＰＵ（Ｃｅｎｔｒａｌ  Ｐｒｏｃｅｓｓｉｎｇ  Ｕｎｉｔ）４０、表示装置４１、入力装置４２、無線通信制御部４３、ＲＡＭ（Ｒａｎｄｏｍ  Ａｃｃｅｓｓ  Ｍｅｍｏｒｙ）４４、記憶装置４５、カメラ部４６、音声入力部４７、音声出力部４８により構成され、各部はバス４９により接続される。
【００１５】
ＣＰＵ４０は、記憶装置４５に格納されている各種制御プログラムを読み出してＲＡＭ４４内に展開し、それらの制御プログラムに従って携帯端末４の各部を集中制御する。以下、ＣＰＵ４０による制御動作について説明する。
【００１６】
ＣＰＵ４０は、カメラ部４６から取得された画像データをメッセージに添付して送信する場合、メッセージの件名に所定の定型文を入力するとともに、本文に、画像を添付したことを示す定型文を入力する処理を実行する（図４参照）。また、ＣＰＵ４０は、音声データをメッセージに添付して送信する場合、メッセージの件名に所定の定型文を入力するとともに、本文に、音声を添付したことを示す定型文を入力する処理を実行する（図６参照）。
【００１７】
表示装置４１は、ＬＣＤ（Ｌｉｑｕｉｄ  Ｃｒｙｓｔａｌ  Ｄｉｓｐｌａｙ）等の表示画面を備え、ＣＰＵ４０から入力される表示信号に従って所要の表示処理を行う。
【００１８】
入力装置４２は、テンキー、カーソルキー、電源キー、各種ファンクションキー等を有し、キーの押下信号による操作信号をＣＰＵ４０に出力する。また、入力装置４２は、表示装置４１の表示画面上を覆うように重畳して設けられたタッチパネルを有し、電磁誘導式、磁気歪式、感圧式等の座標読み取り原理で、専用のペンによってタップされた座標を検出し、検出した座標を位置信号としてＣＰＵ４０に出力する。
【００１９】
無線通信制御部４３は、通信ネットワークＮに接続される他の機器と通信を行うための通信制御を行う。
【００２０】
ＲＡＭ４４は、ＣＰＵ４０により実行される各種制御プログラムや各種アプリケーションプログラムをプログラム格納エリアに展開する。また、ＲＡＭ４４は、入力データ及び上記の制御処理プログラムの実行時に生じる処理結果等のデータを、ワークエリアに一時的に格納する。
【００２１】
記憶装置４５は、プログラムやデータ等が予め記憶されている記録媒体を有している。この記録媒体は、磁気的、光学的記録媒体又は半導体等の不揮発性メモリで構成されており、記憶装置４５に固定的に設けたもの又は着脱自在に装着するものである。この記録媒体は、データ送信処理プログラム及びこれらのプログラムで処理されたデータ等を記憶する。まら、この記録媒体は、カメラ部４６から入力された画像データ、音声入力部４７から入力された音声データを保存する。
【００２２】
なお、記憶装置４５が記憶するプログラム又はデータ等は、その一部又は全部を他の機器から通信ネットワークを介して受信して記憶する構成にしてもよい。また、記録媒体は通信ネットワーク上に構築された別のホストコンピュータの記録媒体であってもよい。また、記憶装置４５が記憶するプログラムを、通信ネットワークを介して他の機器へ伝送して、これらの機器にインストールするような構成にしてもよい。
【００２３】
カメラ部４６は、ＣＣＤ（Ｃｈａｒｇｅｄ  Ｃｏｕｐｌｅｄ  Ｄｅｖｉｃｅ）カメラ等により構成され、ＣＰＵ４０から入力される指示信号に従って、画像の撮影を行い、撮影画像の画像データを取得する。
【００２４】
音声入力部４７は、マイクから入力される音声アナログ信号をＡ／Ｄコンバータにより音声デジタル信号に変換する。音声出力部４８は、音声デジタル信号をＤ／Ａコンバータにより音声アナログ信号に変換し、増幅器により増幅し、外部に出力する。
【００２５】
次に、本実施の形態における動作を説明する。
図３、図４及び図６は、携帯端末４の動作を説明するためのフロ−チャートである。これらのフローチャートは、携帯端末４を構成するコンピュータに各機能を実現させるためのプログラムを説明するためのものである。これらのプログラムはＣＰＵ４０が読み取り可能なプログラムコードの形態で記録媒体に格納されている例で説明するが、全ての機能を記録媒体に格納する必要はなく、必要に応じて、その一部又は全部を、通信ネットワークを介して無線通信制御部４３から受信して実現するようにしてもよい。
【００２６】
図３のフローチャートを参照して、携帯端末４により実行されるデータ送信処理について説明する。
【００２７】
表示装置４１の表示画面上で、新規メッセージの作成が指示されると、表示画面上に、図５（ａ）に示すようなメッセージ作成画面１０が表示される（ステップＳ１）。メッセージ作成画面１０には、図５（ａ）に示すように、カメラによる撮影を指示するためのカメラアイコン１１、音声の録音を指示するためのボイスアイコン１２、メッセージの件名を入力するための件名入力欄１３、宛先を入力するための宛先入力欄１４、本文を入力するための本文入力欄１５、メッセージの送信を指示するための「送信」ボタン１６等が設けられている。
【００２８】
図５（ａ）のメッセージ作成画面１０において、カメラアイコン１１がタップされると（ステップＳ２；ＹＥＳ）、カメラアプリケーションが起動され、表示装置４１の表示画面上には、図５（ｂ）に示すような撮影画面２０が表示され、後述の画像データ送信処理が実行される（ステップＳ３）。撮影画面２０には、図５（ｂ）に示すように、画像の撮影を指示するための「ＳＨＵＴＴＥＲ」ボタン２１、撮影した画像を表示するための画像表示欄２２、画像表示欄２２に表示された画像のメッセージへの添付を指示するための「添付」ボタン２３等が設けられている。
【００２９】
図５（ａ）のメッセージ作成画面１０において、ボイスアイコン１２がタップされると（ステップＳ４；ＹＥＳ）、ボイスアプリケーションが起動され、表示装置４１の表示画面上には、図７（ｂ）に示すような音声録音画面３０が表示され、後述の画像データ送信処理が実行される（ステップＳ５）。音声録音画面３０には、図７（ｂ）に示すように、音声の録音開始を指示するための「録音」ボタン３１、音声録音の停止を指示するための「停止」ボタン３２、録音した音声のメッセージへの添付を指示するための「添付」ボタン３３が設けられている。
【００３０】
次に、図４のフローチャートを参照して、図３のステップＳ３で示した画像データ送信処理について説明する。
【００３１】
図５（ｂ）に示した撮影画面２０において、「ＳＨＵＴＴＥＲ」ボタン２１がタップされると（ステップＳ１０；ＹＥＳ）、カメラ部４６により、店舗内の売場の様子等が撮影され、撮影画像の画像データが記憶装置４５の記録媒体に一旦保存される（ステップＳ１１）。
【００３２】
図５（ｂ）に示した撮影画面２０において、「添付」ボタン２３がタップされると（ステップＳ１２；ＹＥＳ）、メッセージ作成画面１０に切り替わり、図５（ｃ）に示すように、メッセージ作成画面１０の件名入力欄１３には、「添付を参照してください」という定型文が自動的に入力され（ステップＳ１３）、本文入力欄１５には、「画像を添付しました。」という定型文が自動的に入力される（ステップＳ１４）。なお、必要に応じて、件名、本文に自動入力された文を、入力装置４２により修正することが可能である。
【００３３】
次いで、図５（ｃ）に示したメッセージ作成画面１０において、「送信」ボタン１６がタップされると（ステップＳ１５；ＹＥＳ）、件名、宛先、本文、撮影された画像データを含むメッセージがサーバ１に送信され（ステップＳ１６）、本画像データ送信処理が終了する。これにより、携帯端末４から送信された件名、宛先、本文、撮影された画像データを含むメッセージは、アクセスポイント３を経由してサーバ１に送信され、サーバ１は、携帯端末４から送信されたメッセージを図示しない記憶装置に格納する。そして、記憶装置に格納されたメッセージは宛先に該当する携帯端末４がサーバ１にアクセスした際に、その携帯端末４に対して送信される。
【００３４】
次に、図６のフローチャートを参照して、図３のステップＳ５で示した音声データ送信処理について説明する。
【００３５】
図７（ｂ）に示した音声録音画面３０において、「録音」ボタン３１がタップされると（ステップＳ２０；ＹＥＳ）、携帯端末４を所持する店員により、売場の状況報告等を伝達するための音声が、音声入力部４７のマイクから入力され、入力された音声の録音が開始される。音声入力４７から入力された音声データは、記憶装置４５の記録媒体に一旦保存される（ステップＳ２１）。
【００３６】
図７（ｂ）に示した音声録音画面３０において、「添付」ボタン３３がタップされると（ステップＳ２２；ＹＥＳ）、メッセージ作成画面１０に切り替わり、図７（ｃ）に示すように、メッセージ作成画面１０の件名入力欄１３には、「添付を参照してください」という定型文が自動的に入力され（ステップＳ２３）、本文入力欄１５には、「音声を添付しました。」という定型文が自動的に入力される（ステップＳ２４）。なお、必要に応じて、件名、本文に自動入力された文を、入力装置４２により修正することが可能である。
【００３７】
次いで、図７（ｃ）に示したメッセージ作成画面１０において、「送信」ボタン１６がタップされると（ステップＳ２５；ＹＥＳ）、件名、宛先、本文、録音された音声データがサーバ１に送信され（ステップＳ２６）、本音声データ送信処理が終了する。これにより、携帯端末４から送信された件名、宛先、本文、録音された音声データを含むメッセージは、アクセスポイント３を経由してサーバ１に送信され、サーバ１は、携帯端末４から送信されたメッセージを図示しない記憶装置に格納する。そして、記憶装置に格納されたメッセージは宛先に該当する携帯端末４がサーバ１にアクセスした際に、その携帯端末４に対して送信される。
【００３８】
以上のように、本実施の形態の携帯端末４によれば、画像データ又は音声データをメッセージに添付して送信する場合に、件名と本文を自動作成するようにしたことにより、入力装置４１によるキー操作の数が少なくなり、キー操作が苦手なユーザであっても、メッセージを容易に作成することが可能になる。これにより、店舗内における業務効率化を図ることが可能になる。
【００３９】
なお、本実施の形態における記述内容は、本発明の趣旨を逸脱しない範囲で適宜変更可能である。
【００４０】
例えば、本実施の形態では、メッセージの件名と本文に、デフォルトの定型文が自動入力される場合を示したが、頻繁に使用する定型文を予め設定しておき、設定された定型文を選択して入力するようにしてもよい。
【００４１】
【発明の効果】
本発明によれば、画像データ又は音声データをメッセージに添付して送信する場合に、メッセージを自動的に入力するようにしたことにより、ユーザがメッセージを入力する必要がなくなり、メッセージを容易に作成することが可能になる。
【図面の簡単な説明】
【図１】本実施の形態の情報管理システム１００の全体構成を示す図。
【図２】本発明を適用した実施の形態に係る携帯端末４の主要部構成を示すブロック図。
【図３】携帯端末４により実行されるデータ送信処理を示すフローチャート。
【図４】図３のステップＳ３で示した画像データ送信処理の詳細を示すフローチャート。
【図５】図４の画像データ送信処理において、表示装置４１に表示される画面の一例を示す図。
【図６】図３のステップＳ５で示した音声データ送信処理の詳細を示すフローチャート。
【図７】図６の音声データ送信処理において、表示装置４１に表示される画面の一例を示す図。
【符号の説明】
１    サーバ
２    操作端末
３    アクセスポイント
４    携帯端末
１０  メッセージ作成画面
１１  カメラアイコン
１２  ボイスアイコン
１３  件名入力欄
１４  宛先入力欄
１５  本文入力欄
１６  送信ボタン
２０  撮影画面
２１  ＳＨＵＴＴＥＲボタン
２２  画像表示欄
２３  添付ボタン
３０  音声録音画面
３１  録音ボタン
３２  停止ボタン
３３  添付ボタン
４０  ＣＰＵ
４１  表示装置
４２  入力装置
４３  無線通信制御部
４４  ＲＡＭ
４５  記憶装置
４６  カメラ部
４７  音声入力部
４８  音声出力部
１００  情報管理システム
【図１】
2005020563.tif 000003
【図２】
2005020563.tif 000004
【図３】
2005020563.tif 000005
【図４】
2005020563.tif 000006
【図５】
2005020563.tif 000007
【図６】
2005020563.tif 000008
【図７】
2005020563.tif 000009